(57)【要約】【課題】  筐体の小型化をはかるとともに、熱交換器を流通する空気の流れを円滑にして熱交換効率を向上させるようにした空気調和機を提供する。【解決手段】  吸込口１と吹出口２とを結ぶリアガイダ８を有する空気通路に、垂直部３ａとその上端部を後方に折曲した後方傾斜部３ｂとその後端を下方に折曲した下方傾斜部３ｃとからなる熱交換器３と、送風ファン４とが設けられてなる空気調和機において、前記リアガイダ８の背面側に、前記後方傾斜部３ｂの下流側を臨ませた導入部５と前記空気通路を臨ませた導出部６とを備えたバイパス路７を設けた。【選択図】  図１
2008185298.tif 000002
【特許請求の範囲】
【請求項１】
吸込口と吹出口とを結ぶリアガイダを有する空気通路に、前部熱交換器および後部熱交換器からなる熱交換器と、送風ファンとが設けられてなる空気調和機において、
前記リアガイダの背面側に、前記後部熱交換器の下流側を臨ませた導入部と前記空気通路を臨ませた導出部とを備えたバイパス路が設けられてなることを特徴とする空気調和機。
【請求項２】
前記バイパス路の導入部に、同導入部を冷房運転時に閉鎖し、暖房運転時に開放する開閉ダンパが設けられてなることを特徴とする請求項１に記載の空気調和機。
【発明の詳細な説明】
【技術分野】
【０００１】
本発明は、空気調和機に係わり、より詳細には、筐体の小型化をはかるとともに、熱交換器を流通する空気の流れを円滑にして熱交換効率を向上させるようにした構造に関する。
【背景技術】
【０００２】
従来の空気調和機は、図4 （Ａ）に示すように、補助吸込口２ａ’を設けることによって、吸込口２’の総断面積を増加させることで速い吸込空気流が原因となる異音の発生をなくし、熱交換効率を向上させたものとして、
本体１’の前面および上面にフィルタ３’を備えた吸込口２’を設け、下部に吹出口６’を設け、これら吸込口２’と吹出口６’とを結ぶ空気通路に、直立部４ａ’と、同直立部４ａ’の上端を後方に折曲した後方傾斜部４ｂ’と、同後方傾斜部４ｂ’の先端を下方に折曲した後部熱交換器４ｃ’とからなる熱交換器４’と、同熱交換器４’で熱交換した空気を前記吹出口６’に送出する送風ファン５’とを設けてなる空気調和機において、前記本体１’の上面後部に、前記熱交換器４’の後部熱交換器４ｃ’に対応する傾斜部３ａ’を設け、同傾斜部３ａ’に補助吸込口２ａ’を設けた構成が開示されている（例えば、特許文献１参照。）。
【０００３】
しかしながら、上述した構成でなる空気調和機本体１’の高さ寸法が低い機種の場合、図4 （Ｂ）に示すＡ部のように、前記熱交換器４’の後部熱交換器４ｃ’に対し、前記送風ファン５’を収容した送風ケーシング８’の先端部が上方に深く入り込んで、例えば前記後部熱交換器４ｃ’を構成する伝熱管は、少なくとも一列分以上が前記送風ケーシング８’の先端部よりも下方に位置する構成になることから、前記傾斜部３ａ’を設けるとともに、同傾斜部３ａ’に前記補助吸込口２ａ’を設けたとしても、その部位における空気の流れが不充分になって熱交換効率が低下してしまうという問題点を有していた。
【特許文献１】特開平９−２２９３９６号公報
【発明の開示】
【発明が解決しようとする課題】
【０００４】
そこで、本発明は上述した課題を解決するためになされたものであって、その目的は、筐体の小型化をはかるとともに、熱交換器を流通する空気の流れを円滑にして熱交換効率を向上させるようにした空気調和機を提供することにある。
【課題を解決するための手段】
【０００５】
上述した目的を達成するため、本発明は以下に示す特徴を備えている。
【０００６】
吸込口と吹出口とを結ぶリアガイダを有する空気通路に、前部熱交換器および後部熱交換器からなる熱交換器と、送風ファンとが設けられてなる空気調和機において、
前記リアガイダの背面側に、前記後部熱交換器の下流側を臨ませた導入部と前記空気通路を臨ませた導出部とを備えたバイパス路が設けられてなることを特徴としている。
【０００７】
また、前記バイパス路の導入部に、同導入部を冷房運転時に閉鎖し、暖房運転時に開放する開閉ダンパが設けられてなることを特徴としている。
【発明の効果】
【０００８】
本発明によれば、送風ファンを中心とした空気通路の背面側に、後部熱交換器の下流側を臨ませた導入部と前記空気通路または吹出口を臨ませた導出部とを備えたバイパス路を設けたことにより、筐体の小型化をはかるとともに、とくに前記後部熱交換器の下位部を流通する空気の流れを円滑にして熱交換効率を向上させるようにした空気調和機を提供できる。
【発明を実施するための最良の形態】
【０００９】
次に、本発明の実施形態について図面を参照しながら説明する。
【００１０】
図１は本発明による空気調和機の断面図であり、図２は本発明による空気調和機の第一の実施例を示す要部断面図であり、図３は本発明による空気調和機の第二の実施例を示す要部断面図である。
【００１１】
本発明に係る空気調和機は、図１に示すように、高さ寸法が低く抑えられてなる筐体の吸込口１と吹出口２とを結ぶフロントガイダ８ａおよびリアガイダ８を有する空気通路に、フィルタ１０と、下部にドレンパン１３を備えた垂直部３ａおよびその上端部から後方に傾斜させた後方傾斜部３ｂからなる前部熱交換器と、前記後方傾斜部３ｂの後端から下方に傾斜させ、下部にドレンパン１３を備えた後部熱交換器３ｃとからなる熱交換器３と、送風ファン４とが設けられた構成になっている。
【００１２】
前記吸込口１から吸い込まれた空気は、前記フィルタ１０を流通し、且つ前記熱交換器３を流通したのち、前記送風ファン４によって前記吹出口２に送出されるようになっている。
【００１３】
前記吹出口２の一部は、支軸部９ａを中心に回動可能であって、上下方向の風向を偏向するディフューザ９で構成されており、同ディフューザ９により上下方向の風向を偏向できるようにしている。
【００１４】
前記リアガイダ８の背面側には、前記後部熱交換器３ｃの下流側を臨ませた導入部５と、前記空気通路を臨ませた導出部６とを備えたバイパス路７が設けられている。
【００１５】
前記バイパス路７は、前記リアガイダ８を有するベース部１２に一体的に形成されており、これによって個別の部材として製作したり、個別の部材を組み付けるといった必要が生じない構成になっている。
【００１６】
前記導入部５は、前記後部熱交換器３ｃの幅寸法に対応して、同後部熱交換器３ｃの下流側全幅を臨ませた幅寸法で形成されており、また、これに連なる前記バイパス路７および前記導出部６とも、同様の幅寸法で形成された構成になっている。
【００１７】
これにより、前記吸込口１から吸い込まれた空気は、前記フィルタ１０を流通して空気中に含まれた塵埃が捕捉されたのち、前記垂直部３ａおよび前記後方傾斜部３ｂからなる前部熱交換器によって熱交換され、前記送風ファン４によって前記吹出口２に送出されるとともに、前記後部熱交換器３ｃによって熱交換された空気は、図１に示す矢印ａおよび矢印ｂのように前記送風ファン４によって前記吹出口２に送出されるようになっている。
【００１８】
また、上述した背景技術における下方傾斜部（後部熱交換器）４ｃ’のように、前記リアガイダ８の上端部が風の流れを妨げるということがなくなり、前記後部熱交換器３ｃの下位部を流通する空気の流れが良好になって熱交換効率が低下してしまうというおそれがなくなる。
【実施例１】
【００１９】
ここで、実施例１として示す図２に基づいて、前記バイパス路７による作用および効果について詳細に説明する。
【００２０】
前記バイパス路７は、前記後部熱交換器３ｃの下流側を臨ませた導入口からなる導入部５と、前記空気通路を臨ませた導出口からなる導出部６とを結ぶように構成されており、矢印ｂで示すこの導出部６と矢印ａで示す前記空気通路との合流箇所においては、同空気通路の側が、前記導入部５近傍の前記後部熱交換器３ｃの下流側に対して負圧となる差圧が生じており、これによって、矢印ａおよび矢印ｂで示すような前記吹出口２に向かう空気の流れが生じることになる。
【００２１】
なお、前記導入部５をなす導入口および前記導出部６をなす導出口は、その両側部が夫々前記ベース部１２に接続された構成になっており、また、両側部同士の間にも同様の接続部を設けることで該箇所の強度を増強できるようにしている。
【００２２】
これにより、従来、前記後部熱交換器３ｃによって熱交換された空気は、スタビライザの機能を有するリアギャップ部１１近傍を経由しなければ前記吹出口２に送出できなかったが、前記バイパス路７が設けられたことにより、前記後部熱交換器３ｃの下流側における空気の流れが良好になって送風性能および熱交換性能が向上することになる。
【００２３】
また、静止状態にある前記リアガイダ８に沿って高速で流れる空気は、同リアガイダ８を臨ませた前記導出部６から導出している空気と合流することで、この合流箇所における速度勾配が緩やかになり、これによって、前記送風ファン４を駆動するモータの消費電力や騒音（異音）の低減を実現できるようになる。
【実施例２】
【００２４】
次に、実施例２として示す図３に基づいて、前記バイパス路７による作用および効果について詳細に説明する。
【００２５】
前記バイパス路７は、前記後部熱交換器３ｃの下流側を臨ませた空気導入用の多数の孔５’からなる導入部５と、前記空気通路または前記吹出口２を臨ませた空気導出用の多数の孔６’からなる導出部６とを結ぶように構成されており、矢印ｂで示すこの導出部６と矢印ａで示す前記空気通路との合流箇所においては、同空気通路の側が、前記導入部５近傍の前記後部熱交換器３ｃの下流側に対して負圧となる差圧が生じており、これによって、矢印ａおよび矢印ｂで示すような前記吹出口２に向かう空気の流れが生じることになる。
【００２６】
なお、前記導入部５をなす多数の孔５’は前記後部熱交換器３ｃと対向する面に穿設されており、また、前記導出部６をなす多数の孔６’は前記空気通路に合流する面に穿設されるように構成されることで該箇所の強度を更に増強できるようにしている。
【００２７】
これにより、従来、前記後部熱交換器３ｃによって熱交換された空気は、スタビライザの機能を有するリアギャップ部１１近傍を経由しなければ前記吹出口２に送出できなかったが、上述した実施例１の場合と同様に、前記バイパス路７が設けられたことにより通風抵抗が低下して、送風性能および熱交換性能が向上することになる。
【００２８】
また、静止状態にある前記リアガイダ８に沿って高速で流れる空気は、同リアガイダ８を臨ませた前記導出部６から導出している空気と合流することで、この合流箇所における速度勾配が緩やかになり、これによって、上述した実施例１の場合と同様に、前記送風ファン４を駆動するモータの消費電力や騒音（異音）の低減を実現できるようになる。
【００２９】
なお、前記バイパス路の導入部５には、図２および図３に示すように、同導入部５を冷房運転時に閉鎖し、暖房運転時に開放するための開閉ダンパ１４が設けられてなる構成にしてもよい。
【００３０】
前記開閉ダンパ１４は、支軸部１４ａによって回動可能に軸支されるように構成し、駆動用のステッピングモータ１５が連係されることにより、例えば冷房運転時には前記導入部５を閉鎖し、暖房運転時には前記導入部５を開放するようにしてもよい。
【００３１】
これにより、冷房運転時に前記前部熱交換器３ｃに生じた結露水が前記導入部５に滴下してしまうおそれをなくする一方、暖房運転時には前記前部熱交換器３ｃによる熱交換性能を向上させることが可能になる。
【図面の簡単な説明】
【００３２】
【図１】本発明による空気調和機の断面図である。
【図２】本発明による空気調和機の第一の実施例を示す要部断面図である。
【図３】本発明による空気調和機の第二の実施例を示す要部断面図である。
【図４】従来例による空気調和機の説明図で、（Ａ）は補助吸込口を設けた構成を示す断面図であり、（Ｂ）は高さ寸法が低い機種の断面図である。
【符号の説明】
【００３３】
１  吸込口
２  吹出口
３  熱交換器
３ａ  垂直部
３ｂ  後方傾斜部
３ｃ  後部熱交換器
４  送風ファン
５  導入部
５’  多数の孔
６  導出部
６’  多数の孔
７  バイパス路
８  リアガイダ
８ａ  フロントガイダ
９  ディフューザ
９ａ  支軸部
１０  フィルタ
１１  リアギャップ部
１２  ベース部
１３  ドレンパン
１４  開閉ダンパ
１４ａ  支軸部
１５  ステッピングモータ
【図１】
2008185298.tif 000003
【図２】
2008185298.tif 000004
【図３】
2008185298.tif 000005
【図４】
2008185298.tif 000006